(57)【要約】【課題】装飾的要素の高い鍵露出形キーホルダーと、鍵を収納できる便利さを有する鍵収納形キーホルダーを組み合わせることによって、これら両方の機能を併有したキーホルダーを提供することである。【解決手段】一端に開口５を設けた袋形の鍵収納具１と、その鍵収納具１に鍵３を連結する連結紐４とからなり、その連結紐４が鍵収納具１と同等又はそれより長く形成され、鍵収納具１の底部に設けた穴５に連結紐４を貫通させるとともに、その連結紐４の穴内部側端部に鍵取付け部９、穴外部側端部に抜け止め部１１をそれぞれ設け、前記連結紐４を穴５の外方に引くことにより鍵３を引き込み、連結紐４を引き締めその抜け止め部１１を係止部８に嵌合係止させるようにしたものであり、連結紐４に適宜装飾品１２を付加する。【選択図】  図２
2004254810.tif 000002
【特許請求の範囲】
【請求項１】
一端に開口を設けた袋形の鍵収納具と、その鍵収納具に鍵を連結する連結紐とからなるキーホルダーにおいて、前記連結紐が前記鍵収納具の開口から閉塞端までの縦方向の長さと同等又はそれより長く形成され、前記閉塞端に設けた穴に該連結紐を貫通させるとともに、その連結紐の穴内部側端部に鍵取付け部、穴外部側端部に抜け止め部をそれぞれ設け、前記鍵収納具の一方の外表面に係止部を設け、前記連結紐を前記穴外方に引くことにより鍵収納具内部に鍵を引き込み、前記抜け止め部を前記係止部に嵌合係止させることを特徴とするキーホルダー。
【請求項２】
前記穴から引き出した連結紐を、前記係止部を設けた外表面とは反対側の外表面から前記開口を渡って巻き締め、その連結紐先端の抜け止め部を前記係止部に嵌合係止させることを特徴とする請求項１に記載のキーホルダー。
【請求項３】
前記連結紐並びにその両端部の鍵取付け部及び抜け止め部の何れかの部分に装飾を施したことを特徴とする請求項１又は２に記載のキーホルダー。
【請求項４】
前記鍵収納具と連結紐を、テグスにビーズを挿通してなる装飾体により形成したことを特徴とする請求項１又は２に記載のキーホルダー。
【発明の詳細な説明】
【０００１】
【発明の属する技術分野】
この発明は、鍵の収納、保管、携帯等の便宜のために使用されるキーホルダーに関するものである。
【０００２】
【従来の技術】
鍵の紛失を防止するとともに、その収納、保管、携帯等の便宜にために、鍵をキーホルダーに取付けることが一般に行われている。キーホルダーの構造・形状には各種のものがあるが、ホルダーの一端に鍵を取付けその鍵を露出させたまま携帯するもの（以下、鍵露出形キーホルダーという。）と、ホルダーを兼ねたケースを備えそのケースに鍵を収納して携帯するようにもの（以下、鍵収納形キーホルダーという。）に分けられる。
【０００３】
前者の鍵露出形キーホルダーは、鍵との連結手段を備えた紐、鎖、板、リング等でなる。この形式のキーホルダーは、例えば土産品として販売されることがあることからも分かるように、キャラクターグッズ等の多様な装飾品を付加するなどして、装飾品的要素の強い持ち物として販売され使用される傾向がある。
【０００４】
後者の鍵収納形キーホルダーとしては、三つ折れ式のケースの内面に鍵係止用のフック金具を取付けたものが一般的であるが（特許文献１の図７参照）、このほかに、比較的硬質の材料で作られた一端開放のケースに長さ方向のガイド溝を設け、そのガイド溝外部の操作ノブに内部の鍵を取付け、ケースを把持した手で前記ノブを操作することにより片手で鍵の出し入れができるようにしたものも知られている（特許文献１の図１、図２参照）。
【０００５】
【特許文献１】
実開平６−５９５６１号公報（図１、図２、図７参照）
【０００６】
【発明が解決しようとする課題】
前記の鍵露出形キーホルダーは、装飾性に富むが、そのままポケット等に収納すると鍵が直接他のものに接触し、複数の鍵を付けた場合は鍵同士の接触音が生じる不具合がある。また、前記の鍵収納形キーホルダーは、鍵がケース内に収納され、複数の鍵を付けても接触音が生じることがない便利さがあるが、装飾的な要素を施す対象はケースのデザインのみに限られ、前記の鍵露出形キーホルダーのような多様な装飾を施す余地が少ない欠点がある。
【０００７】
そこで、この発明は前記の鍵露出形キーホルダーと鍵収納形キーホルダーとを組み合わせることにより、鍵を収納できる便利さを有する一方、多様な装飾を施すことができるキーホルダーを提供することを課題とする。
【０００８】
【課題を解決するための手段】
前記の課題を解決するために、この発明は、一端に開口を設けた袋形の鍵収納具と、その鍵収納具に鍵を連結する連結紐とからなるキーホルダーにおいて、前記連結紐が前記鍵収納具の開口から閉塞端までの縦方向の長さと同等又はそれより長く形成され、前記閉塞端に設けた穴に該連結紐を貫通させるとともに、その連結紐の穴内部側端部に鍵取付け部、穴外部側端部に抜け止め部をそれぞれ設け、前記鍵収納具の一方の外表面に係止部を設け、前記連結紐を前記穴外方に引くことにより鍵収納具内部に鍵を引き込み、前記抜け止め部を前記係止部に嵌合係止させるようにした。
【０００９】
上記のように構成すると、連結紐やその一端部に設けた鍵取付け部に各種の装飾品を付属させることができるので、前述の鍵露出形キーホルダーのもつ多様な装飾性を発揮させることができる。また、その連結紐を介して連結された鍵収納具は、その内部に鍵を収納することができるので、前述の鍵収納形キーホルダーの機能を発揮させることができる。
【００１０】
また、前記穴から引き出した連結紐を、前記係止部を設けた外表面とは反対側の外表面から前記開口を渡って巻き締め、その連結紐先端の抜け止め部を前記係止部に嵌合係止させるようにすると、連結紐によって開口部分が締め付けられてコンパクト化され、また開口が閉まるため内部に異物等が侵入することを防止できる。
【００１１】
なお、前記鍵収納具と連結紐を、テグスにビーズを挿通してなる装飾体により形成した構成を採用すると、連結紐のみならず、鍵収納具も装飾されるので需要者の注目をひき易い。
【００１２】
【発明の実施の形態】
以下、この発明の実施形態を添付図面に基づいて説明する。図１及び図２に示すように、実施形態のキーホルダーは、一端に開口２を設けた袋形の鍵収納具１と、その鍵収納具１に鍵３を連結するための連結紐４とからなる。袋形の鍵収納具１は、布製、合成樹脂製、皮革製等その素材は自由である。硬質な材料である必要はなく、ポケットやバッグ等に入れて携帯する際に違和感がない程度の柔軟な素材で製作することが望ましい。連結紐４は、繊維性の各種紐のほか金属製・合成樹脂製の鎖など自由に屈曲できる柔軟なものが望ましい。
【００１３】
前記の鍵収納具１の底部（閉塞端）には穴５が設けられ、その穴５に前記の連結紐４が貫通される。また、鍵収納具１の両方の外表面６、７のうち、一方の外表面６において、開口２に片寄った部分にボタン等でなる係止部８が設けられる。前記連結紐４の穴５に挿入した端部に金属リング等でなる取付け部９が設けられ、鍵３がその取付け部９に着脱自在に取付けられる。また、その連結紐４の他方の端部に環状の抜け止め部１１が設けられるとともに、装飾品１２が適宜付加される。この抜け止め部１１は前記の穴５より大きく形成され、連結紐４の鍵１１側の端部を引張っても抜け止め部１１は穴５に引っ掛かってこれを通過することはない。もちろん、抜け止め部１１を逆方向に引張っても鍵３側が穴５から抜け出すことはない。
【００１４】
なお、装飾品１２は、前記の取付け部９、連結紐４の一部等に付加することもできる。また、鍵収納具１のデザイン自体又はボタン等でなる係止部８も装飾を施す対象となる。
【００１５】
実施形態のキーホルダーは以上のように構成され、その使用に際して鍵３を取り出す場合は、図１（ａ）に示すように、連結紐４を鍵３側へ最も長く引き出し、鍵３と共に鍵収納具１を把持して鍵３の操作を行う。また、鍵３を収納する際は、同図（ｂ）に示すように、連結紐４を穴５から鍵収納具１の外部に引き出して鍵３をその内部に引き込む。その上で、図２（ａ）（ｂ）に示すように、穴５から出た連結紐４を、係止部８を設けた外表面６とは反対側の外表面７に沿わせるとともに、さらに開口２を渡って巻き締め、その先端の抜け止め部１１を前記の係止部８に嵌合係止する。連結紐４をこのように巻き締めると、開口２の対向縁が引き寄せられ、コンパクト化されるとともに閉止される。図３の場合は、穴５から引き出した連結紐４を係止部６を設けた外表面側に沿わせ、開口２に渡らせることなく係止部８に抜け止め部１１を嵌合係止するようにしたものである。この場合は、開口２は閉められないが連結紐４は短くてよい。
【００１６】
次に、図４から図６に示した他の実施形態のキーホルダーは、構成要素としては前記のものと同様に、一端に開口２を有する鍵収納具１、その閉塞端に設けた穴５（図５（ｂ）参照）に挿通された連結紐４からなり、その連結紐４の内端部に取付け部９を介して鍵３を取付け、またその連結紐４の外端部に抜け止め部１１が設けられ、抜け止め部１１に装飾品１２が付加される。鍵３を収納する際には連結紐４を穴５から引き出し、外表面７（図２（ｂ）参照）側を経て開口２を渡って巻き締め、反対側の外表面６上の係止部８に嵌合係止される（図５参照）。この実施形態のものが前記の実施形態のものと相違する点は、鍵収納具１と連結紐４が、図示のようにビーズ１３をテグス１４（図６参照）に挿通した装飾体により製作されている点である。即ち、これらのビーズ１３は図６に示したようにテグス１４に一定の規則で挿通され、テグス１４を袋状又は紐状に組み合わせることにより、袋状の鍵収納具１、連結紐４を製作したものであり、ビーズ１３自体及びその配列により、鍵収納具１及び連結紐４の全体に装飾効果が付与される。
【００１７】
【発明の効果】
以上のように、この発明によると、連結紐の一端に鍵取付け部を設けることにより鍵露出形キーホルダーが構成されるので、その連結紐や鍵取付け部等に適宜な装飾を施すことができる。また、その連結紐を鍵収納具の穴に挿通した構成により鍵収納形キーホルダーが構成され、その鍵収納部に鍵を収納できる便利さがある。このように、この発明は、鍵露出形キーホルダーと鍵収納形キーホルダーの機能と効果を併有する。また、前記鍵収納具の穴から引き出した連結紐を、係止部を設けた外表面とは反対側の外表面から開口を渡って巻き締め、その連結紐先端の抜け止め部を該係止部に嵌合係止する構成を採ることにより、連結紐の締め付けにより鍵収納具の開口を閉止することができ、内部に異物等が侵入する弊害を防止することができる。
【図面の簡単な説明】
【図１】（ａ）（ｂ）実施形態の断面図
【図２】（ａ）実施形態の鍵収納状態の断面図
（ｂ）（ａ）図のｂ−ｂ線の断面図
【図３】同上の一部変形例の断面図
【図４】他の実施形態の分解斜視図
【図５】（ａ）同上の正面図
（ｂ）（ａ）図の一部平面図
【図６】同上の一部拡大断面図
【符号の説明】
１  鍵収納具
２  開口
３  鍵
４  連結紐
５  穴
６、７  外表面
８  係止部
９  取付け部
１１  抜け止め部
１２  装飾品
１３  ビーズ
１４  テグス
【図１】
2004254810.tif 000003
【図２】
2004254810.tif 000004
【図３】
2004254810.tif 000005
【図４】
2004254810.tif 000006
【図５】
2004254810.tif 000007
【図６】
2004254810.tif 000008